(57)【要約】【課題】  車両における現在位置の測位誤差を運行路線上に正確にマッチング処理できるようにした路線バス運行管理システムおよび移動端末装置を提供する。【解決手段】  路線バス運行管理システム１０は、車両に設置される移動体端末装置２０と運行管理サーバ３０とがネットワークを介して接続される。移動体端末装置２０は、衛星航法に基づき位置を検出する位置検出手段２２と、自律航法手段２３と、通信手段２５と、マッチング手段２４と、路線ネットワークデータを記憶した路線データ記憶手段２７と、を備え、路線ネットワークデータは、所定のバス路線のネットワークデータのみで構成され、マッチング手段２４は、前記位置検出手段２２が検出した現在位置データを路線ネットワークデータにマッチング処理し、マッチング処理した現在位置データを通信手段２５を介して運行管理サーバ３０に送信する。【選択図】      図１
2006202098.tif 000002
【特許請求の範囲】
【請求項１】
車両に設置される移動体端末装置と運行管理サーバとがネットワークを介して接続される路線バス運行管理システムにおいて、
前記移動体端末装置は、衛星航法に基づき位置を検出する位置検出手段と、自律航法手段と、通信手段と、マッチング手段と、路線ネットワークデータを記憶した路線データ記憶手段と、を備え、
前記路線ネットワークデータは、所定のバス路線のネットワークデータのみで構成され、マッチング手段は、前記位置検出手段が検出した現在位置データを路線ネットワークデータにマッチング処理し、該マッチング手段がマッチング処理した現在位置データを、前記通信手段を介して運行管理サーバに送信することを特徴とする路線バス運行管理システム。
【請求項２】
前記移動体端末装置は、エリア判別手段を備え、路線データ記憶手段には更に、特定エリアの位置データと必要に応じて特定エリア内の車両の経路ネットワークデータが記憶され、
前記位置検出手段が検出した位置情報に基づいて、前記特定エリア内の経路ネットワークデータが記憶された特定エリアへの車両の進入がエリア判別手段により検出された場合、
前記マッチング手段は自律航法手段により検出する現在位置データを前記経路ネットワークデータにマッチング処理し、該マッチング手段がマッチング処理した現在位置データを、前記通信手段を介して運行管理サーバに送信することを特徴とする請求項１に記載の路線バス運行管理システム。
【請求項３】
前記位置検出手段が検出した位置情報に基づいて、前記特定エリア内の経路ネットワークデータが記憶されていない特定エリアへの車両の進入がエリア判別手段により検出された場合、
前記マッチング手段はマッチング処理を停止し、前記位置検出手段が検出した位置に基づいて現在位置のデータを生成し、前記通信手段を介して運行管理サーバに送信することを特徴とする請求項２に記載の路線バス運行管理システム。
【請求項４】
前記路線ネットワークデータは、路線が設定された全ての路線ネットワークのデータであることを特徴とする請求項１ないし請求項３の何れか１項に記載の路線バス運行管理システム。
【請求項５】
前記路線ネットワークデータは、車両が運行される路線の路線ネットワークのデータであることを特徴とする請求項１ないし請求項３の何れか１項に記載の路線バス運行管理システム。
【請求項６】
ネットワークを介して運行管理サーバと接続される移動体端末装置であって、車両に設置される移動体端末装置において、
前記移動体端末装置は、衛星航法に基づき位置を検出する位置検出手段と、自律航法手段と、通信手段と、マッチング手段と、路線ネットワークデータを記憶した路線データ記憶手段と、を備え、
前記路線ネットワークデータは、所定のバス路線のネットワークデータのみで構成され、マッチング手段は、前記位置検出手段が検出した現在位置データを路線ネットワークデータにマッチング処理し、該マッチング手段がマッチング処理した現在位置データを、前記通信手段を介して運行管理サーバに送信することを特徴とする移動体端末装置。
【請求項７】
前記移動体端末装置は、エリア判別手段を備え、路線データ記憶手段には更に、特定エリアの位置データと必要に応じて特定エリア内の車両の経路ネットワークデータが記憶され、
前記位置検出手段が検出した位置情報に基づいて、前記特定エリア内の経路ネットワークデータが記憶された特定エリアへの車両の進入がエリア判別手段により検出された場合、
前記マッチング手段は自律航法手段により検出する現在位置データを前記経路ネットワークデータにマッチング処理し、該マッチング手段がマッチング処理した現在位置データを、前記通信手段を介して運行管理サーバに送信することを特徴とする請求項６に記載の移動体端末装置。
【請求項８】
前記位置検出手段が検出した位置情報に基づいて、前記特定エリア内の経路ネットワークデータが記憶されていない特定エリアへの車両の進入がエリア判別手段により検出された場合、
前記マッチング手段はマッチング処理を停止し、前記位置検出手段が検出した位置に基づいて現在位置のデータを生成し、前記通信手段を介して運行管理サーバに送信することを特徴とする請求項７に記載の移動体端末装置。
【請求項９】
前記路線ネットワークデータは、路線が設定された全ての路線ネットワークのデータであることを特徴とする請求項６ないし請求項８の何れか１項に記載の移動体端末装置。
【請求項１０】
前記路線ネットワークデータは、車両が運行される路線の路線ネットワークのデータであることを特徴とする請求項６ないし請求項８の何れか１項に記載の移動体端末装置。
【発明の詳細な説明】
【技術分野】
【０００１】
本発明は、ナビゲーションシステムを利用した路線バス運行管理システムおよび移動体端末装置に関するものであり、特に、各車両の現在位置を路線バスネットワークの路線上にマッチングさせ、運行管理サーバにおいて各車両の運行管理を行う際に路線バス特有のネットワークデータを用い、バスターミナルや運行路線に隣接する営業所、駐車場、操車場などの特定エリアにおけるマッチング処理を可能にとするとともに、車両における現在位置の測位誤差を路線上に正確にマッチング処理できるようにした路線バス運行管理システムおよび移動体端末装置に関するものである。
【背景技術】
【０００２】
従来から、地図データ、道路データを用いて、所望の出発地から目的地までの経路を探索して利用者を案内するナビゲーション装置、ナビゲーションシステムが知られており、このようなナビゲーション装置、ナビゲーションシステムとしては自動車に搭載して運転者に経路を案内するカーナビゲーション装置、携帯電話をナビゲーション端末として利用して経路探索サーバに経路探索要求を送り、その結果を受信して経路案内を受ける通信型のナビゲーションシステムなどが実用化されている。
【０００３】
特に、通信型のナビゲーションシステムは、携帯電話などの携帯端末をナビゲーション端末として利用したシステムであって、歩行者用のナビゲーションシステムとしても用いられるものである。歩行者用のナビゲーションシステムとしては、交通機関を含めた経路案内機能を付加することが好ましく、徒歩経路の探索と案内に加えて、経路探索サーバに列車時刻データを蓄積し、所望の出発駅から所望の目的駅までの経路（乗車候補列車）を、徒歩経路の探索と案内に加えて案内する機能を有するナビゲーションシステムも存在する。
【０００４】
また、航空機、列車、電車、バスなどの交通手段を用いて出発地から目的地までの経路を探索して案内する経路探索システムも知られている。このような経路探索システムは一般的には、ユーザが指定する出発日時、出発地、目的地、到着時刻等の経路探索条件に基づいて、各交通機関の運行データをデータベース化した運行データＤＢ（データベース）を参照して、乗り継ぎを含めて出発地と目的地を結ぶ、利用可能な各交通手段を経路として順次たどり、経路探索条件に合致する案内経路（列車などの交通手段）の候補を１つまたは複数提示するように構成される。経路探索条件としては更に、所要時間、乗り継ぎ回数、運賃などの条件を指定できるようにされているのが一般的である。
【０００５】
歩行者ナビゲーションシステムやカーナビゲーションシステムにおける経路探索のための道路ネットワークは、例えば、図７に示すように道路Ａ、Ｂ、Ｃからなる場合、道路Ａ、Ｂ、Ｃの端点、交差点、屈曲点などをノードとし、各ノード間を結ぶ道路を有向性のリンクで表し、ノードデータ（ノードの緯度・経度）、リンクデータ（リンク番号）と各リンクのリンクコスト（リンクの距離またはリンクを走行するのに必要な所要時間）をデータとしたリンクコストデータとで道路ネットワークデータを構成している。すなわち、図７において、○印、◎印がノードを示し、◎印は道路の交差点を示している。各ノード間を結ぶ有向性のリンクを矢印線（実線、点線、２点鎖線）で示している。リンクは、道路の上り、下りそれぞれの方向を向いたリンクが存在するが、図７では図示を簡略化するため矢印の向きのリンクのみを図示している。
【０００６】
このような道路ネットワークのデータを経路探索用のデータベースとして経路探索を行う場合、出発地のノードから目的地のノードまで連結されたリンクをたどりそのリンクコストを累積し、累積リンクコストの最少になる経路を探索して案内する。すなわち、図７において出発地をノードＡＸ、目的地をノードＣＹとして経路探索を行う場合、ノードＡＸから道路Ａを走行して２つ目の交差点で右折して道路Ｃに入りノードＣＹにいたるリンクを順次たどりリンクコストを累積し、リンクコストの累積値を最少になる経路を探索して案内する。図７ではノードＡＸからノードＣＹに至る他の経路は図示されていないが、実際にはそのような経路が他にも存在するため、ノードＡＸからノードＣＹに至る可能な経路を同様にして探索し、それらの経路のうちリンクコストが最少になる経路を最適経路として決定するものである。この手法は、例えば、ダイクストラ法と呼ばれる周知の手法によって行われる。
【０００７】
このような道路ネットワークは、図７に模式的に示すようにリンクコストが固定であり、経路が定まればその累積リンクコストは一意に定まる静的なネットワークデータであり、データの量も道路ネットワークの量に比例したものになる。交通機関の運行ネットワークデータも同様でありバス路線が設定されている道路ネットワークのデータが路線ネットワークのデータとして使用される。
【０００８】
現在、このようなナビゲーションシステムを利用した路線バスの運行管理システムも存在している。このような運行管理システムは、例えば、各路線バスの車両に移動体端末を設置し、現在位置を測位して路線ネットワーク上にマッチング処理することで、各車両の運行位置を把握し、各停留所に車両が到着する予定時刻を表示するサービスを行ったり、道路の渋滞状況を検出したり、車両の配車状況や車両の運行状況の履歴を管理したりするシステムである。
【０００９】
このような路線バスの運行管理システムは、下記の特許文献１（特開平８−１８０２９８号公報）、特許文献２（特開２００４−２２７２６８号公報）に開示されている。すなわち、特許文献１には、人工衛星の位置検出システムを利用し路線バス車両の現在位置を検出し、位置情報を固定局へ無線で送り地図情報とともに画像や音声で報知する移動体接近報知システムが開示されている。このシステムでは、移動体は、衛星通信手段と移動体位置検出手段が検知した位置情報を移動体位置記憶手段に記憶する。固定局側から送信要求があると対固定局通信制御手段と対固定局通信手段によりこの位置情報を送信する。固定局は、これを対移動体通信制御手段と対移動体通信手段により受信し位置情報記憶手段に記憶する。固定局の現在位置は固定局位置情報入力手段Ｆにより位置情報記憶手段に、地図情報は地図情報記憶手段に記憶されている。報知手段は、移動体と固定局の上記位置情報と、地図情報とを報知する。
【００１０】
また、特許文献２には、路線バスなどの所定のルート上に設けられた各領域が、重複した部分を有する場合であっても、車両が、所定ルート上を運行する所定の順序にて進入する各領域を正確に報知する位置情報通知システム、位置検知装置が開示されている。このシステムでは、バスに搭載した位置検知装置が、バスの所定の運行ルート上に設定された各停留所の周辺の所定領域への進入を検知し、バスの進入を検知した領域の領域番号が、先に前記車両の進入を検知してコンピュータへ報知した領域の領域番号に昇順に連続している場合に、次に検知した領域へのバスの進入をコンピュータへ報知し、コンピュータが、前記領域へのバスの進入を携帯電話機に通知する。
【００１１】
【特許文献１】特開平８−１８０２９８号公報（図１、図５）
【特許文献２】特開２００４−２２７２６８号公報（図１、図４）
【発明の開示】
【発明が解決しようとする課題】
【００１２】
ところで、路線バスの運行管理システムにおいても、一般のナビゲーションシステムと同様に、各車両においてＧＰＳ受信機などの位置検出手段が測位した現在位置には誤差を伴う。通常この誤差はＧＰＳ衛星信号の受信状態がよい場合で１０ｍ程度、ビル街など受信状態の悪い場所ではこの誤差は更に拡大する。この誤差を補正するために測位した現在位置が地図データの道路または案内経路から外れている場合に測位した現在位置に最も近い道路または案内経路上にマッチングする、いわゆるマッチング処理を行って測位誤差を修正している。測位した現在位置を地図データの道路上にマッチングする処理をマップマッチング処理といい、案内経路上にマッチングする処理をルートマッチング処理という。
【００１３】
しかしながら、上記特許文献１、特許文献２に開示された位置情報通知システムは、路線上を運行する各車両の現在位置を検出して、停留所や携帯電話に案内するものであるが、車両が測位した現在位置の誤差を修正することについては何ら開示されていない。特許文献１、特許文献２のような運行管理システムに、前述の一般的なマップマッチング処理、あるいは、ルートマッチング処理を適用することは可能であるが、路線バスにおいては、下記のような問題点が生じる。
【００１４】
第１に、路線バスの運行管理システムにおいては、一般の車載用ナビゲーションシステムと違って、運行管理サーバで遠隔管理をするのでマップマッチングの誤りに気づかない。特に、鋭角なＹ字路（道路が小さい角度で分岐しているような分岐路）で、逆方向（路線でないほうの道路）にマッチングしてしまうエラーが起こりやすいという問題点がある。このようなエラーが生じた場合、運行管理サーバで各車両（バス）の位置を管理しているため、バスがある程度走行してからでないとマッチングの誤りに気づかず正しい道にマッチングがとれないという問題点が生じる。
【００１５】
第２に、路線バスにおいては、主要ターミナルが鉄道の駅などに隣接していることが多く、駅前はビルが密集しておりＧＰＳ衛星の電波がマルチパスの影響を受けているので位置誤差が大きくなるという問題がある。また、バスターミナルは、一般車は進入禁止であるため、一般のカーナビ用の電子地図にはノードやリンクの設定がなく、車両自車位置のマップマッチングを行うこともできないという問題点が生じる。
【００１６】
第３に、路線バスの営業所や駐車場、操車場が営業路線に面していることが多く、営業所や駐車場、操車場の敷地内にいるのに道路や路線にマッチングしてしまうこともあり、車両が待機中か運行中か紛らわしいという問題点が生じる。路線バスの運行管理サーバでは、それぞれの車両の運行履歴も残して、運行管理を行うので、上記のマッチングの誤りが後々問題となることもある。
【００１７】
本願の発明者は、上記の問題点を解消すべく種々検討を重ねた結果、経路を表示するための道路ネットワークのデータを路線ネットワークのデータのみとし、また、路線ネットワークのデータにターミナルや営業所、駐車場、操車場などの特定エリアの位置データ、特定エリア内の経路ネットワークのデータを付加することにより特定エリアにおけるマッチング処理を適切に制御することにより上記問題点を解消し得ることに想到し、本発明を完成するに至ったものである。
【００１８】
すなわち、本発明は上記の問題点を解消することを課題とし、各車両の現在位置を路線バスネットワークの路線上にマッチングさせ、運行管理サーバにおいて各車両の運行管理を行う際に路線バス特有の路線ネットワークデータを用い、このネットワークデータにバスターミナルや運行路線に隣接する営業所、駐車場、操車場などの特定エリアの位置情報と特定エリア内の経路ネットワークのデータを付加し、特定エリアにおけるマッチング処理を適切に制御するとともに、車両の現在位置の測位誤差を路線上に正確にマッチング処理できるようにした路線バス運行管理システムおよび移動体端末装置を提供することを目的とするものである。
【課題を解決するための手段】
【００１９】
前記課題を解決するために、本願の請求項１にかかる発明は、車両に設置される移動体端末装置と運行管理サーバとがネットワークを介して接続される路線バス運行管理システムにおいて、
前記移動体端末装置は、衛星航法に基づき位置を検出する位置検出手段と、自律航法手段と、通信手段と、マッチング手段と、路線ネットワークデータを記憶した路線データ記憶手段と、を備え、
前記路線ネットワークデータは、所定のバス路線のネットワークデータのみで構成され、マッチング手段は、前記位置検出手段が検出した現在位置データを路線ネットワークデータにマッチング処理し、該マッチング手段がマッチング処理した現在位置データを、前記通信手段を介して運行管理サーバに送信することを特徴とする。
【００２０】
また、本願の請求項２にかかる発明は、請求項１にかかる発明において、前記移動体端末装置は、エリア判別手段を備え、路線データ記憶手段には更に、特定エリアの位置データと必要に応じて特定エリア内の車両の経路ネットワークデータが記憶され、
前記位置検出手段が検出した位置情報に基づいて、前記特定エリア内の経路ネットワークデータが記憶された特定エリアへの車両の進入がエリア判別手段により検出された場合、
前記マッチング手段は自律航法手段により検出する現在位置データを前記経路ネットワークデータにマッチング処理し、該マッチング手段がマッチング処理した現在位置データを、前記通信手段を介して運行管理サーバに送信することを特徴とする。
【００２１】
また、本願の請求項３にかかる発明は、請求項１にかかる発明において、前記位置検出手段が検出した位置情報に基づいて、前記特定エリア内の経路ネットワークデータが記憶されていない特定エリアへの車両の進入がエリア判別手段により検出された場合、
前記マッチング手段はマッチング処理を停止し、前記位置検出手段が検出した位置に基づいて現在位置のデータを生成し、前記通信手段を介して運行管理サーバに送信することを特徴とする。
【００２２】
また、本願の請求項４にかかる発明は、請求項１ないし請求項３の何れかにかかる発明において、前記路線ネットワークデータは、路線が設定された全ての路線ネットワークのデータであることを特徴とする。
【００２３】
また、本願の請求項５にかかる発明は、請求項１ないし請求項３の何れかにかかる発明において、前記路線ネットワークデータは、車両が運行される路線の路線ネットワークのデータであることを特徴とする。
【００２４】
本願の請求項６にかかる発明は、ネットワークを介して運行管理サーバと接続される移動体端末装置であって、車両に設置される移動体端末装置において、
前記移動体端末装置は、衛星航法に基づき位置を検出する位置検出手段と、自律航法手段と、通信手段と、マッチング手段と、路線ネットワークデータを記憶した路線データ記憶手段と、を備え、
前記路線ネットワークデータは、所定のバス路線のネットワークデータのみで構成され、マッチング手段は、前記位置検出手段が検出した現在位置データを路線ネットワークデータにマッチング処理し、該マッチング手段がマッチング処理した現在位置データを、前記通信手段を介して運行管理サーバに送信することを特徴とする。
【００２５】
また、本願の請求項７にかかる発明は、請求項６にかかる発明において、前記移動体端末装置は、エリア判別手段を備え、路線データ記憶手段には更に、特定エリアの位置データと必要に応じて特定エリア内の車両の経路ネットワークデータが記憶され、
前記位置検出手段が検出した位置情報に基づいて、前記特定エリア内の経路ネットワークデータが記憶された特定エリアへの車両の進入がエリア判別手段により検出された場合、
前記マッチング手段は自律航法手段により検出する現在位置データを前記経路ネットワークデータにマッチング処理し、該マッチング手段がマッチング処理した現在位置データを、前記通信手段を介して運行管理サーバに送信することを特徴とする。
【００２６】
また、本願の請求項８にかかる発明は、請求項６にかかる発明において、前記位置検出手段が検出した位置情報に基づいて、前記特定エリア内の経路ネットワークデータが記憶されていない特定エリアへの車両の進入がエリア判別手段により検出された場合、
前記マッチング手段はマッチング処理を停止し、前記位置検出手段が検出した位置に基づいて現在位置のデータを生成し、前記通信手段を介して運行管理サーバに送信することを特徴とする。
【００２７】
また、本願の請求項９にかかる発明は、請求項６ないし請求項８の何れかにかかる発明において、前記路線ネットワークデータは、路線が設定された全ての路線ネットワークのデータであることを特徴とする。
【００２８】
また、本願の請求項１０にかかる発明は、請求項６ないし請求項８の何れかにかかる発明において、前記路線ネットワークデータは、車両が運行される路線の路線ネットワークのデータであることを特徴とする。
【発明の効果】
【００２９】
請求項１にかかる発明においては、移動体端末装置は、衛星航法に基づき位置を検出する位置検出手段と、自律航法手段と、通信手段と、マッチング手段と、路線ネットワークデータを記憶した路線データ記憶手段と、を備え、前記路線ネットワークデータは、所定のバス路線のネットワークデータのみで構成され、マッチング手段は、前記位置検出手段が検出した現在位置データを路線ネットワークデータにマッチング処理する。
すなわち、路線データ記憶手段に路線ネットワークのデータのみを記憶することにより、バスの路線が設定されていない道路のデータが含まれないため、鋭角な分岐路においてマッチング手段が路線でない道路に誤ってマッチング処理するマッチングエラーを防止することができるようになる。
【００３０】
請求項２にかかる発明においては、請求項１にかかる発明において、前記移動体端末装置は、エリア判別手段を備え、路線データ記憶手段には更に、特定エリアの位置データと必要に応じて特定エリア内の車両の経路ネットワークデータが記憶され、前記位置検出手段が検出した位置情報に基づいて、前記特定エリア内の経路ネットワークデータが記憶された特定エリアへの車両の進入がエリア判別手段により検出された場合、前記マッチング手段は自律航法手段により検出する現在位置データを前記経路ネットワークデータにマッチング処理する。
すなわち、駅前のバスターミナルなど、ＧＰＳ受信状態が悪化するエリア内に車両が進入した場合、該特定エリア内の経路ネットワークデータを持つから、自律航法手段により測位した現在位置を経路ネットワークのデータにマッチング処理し、正確なマッチングが行えるようになる。
【００３１】
請求項３にかかる発明においては、請求項２にかかる発明において、前記位置検出手段が検出した位置情報に基づいて、前記特定エリア内の経路ネットワークデータが記憶されていない特定エリアへの車両の進入がエリア判別手段により検出された場合、前記マッチング手段はマッチング処理を停止し、前記位置検出手段が検出した位置に基づいて現在位置のデータを生成し、前記通信手段を介して運行管理サーバに送信する。
すなわち、営業所や操車場などの特定エリアに車両が位置する場合に、該特定エリア内に経路ネットワークを設定せず、マッチング処理手段はマッチング処理を行わず、ＧＰＳによる測位位置に基づいて、現在位置を生成するため、マッチングエラーを生ずることなく現在位置を生成することができるようになる。
【００３２】
請求項４にかかる発明においては、請求項１ないし請求項３の何れかにかかる発明において、前記路線ネットワークデータは、路線が設定された全ての路線ネットワークのデータである。従って、路線データ記憶手段の記憶容量を少なくすることができ、バスの路線が設定されていない道路のデータが含まれないため、鋭角な分岐路においてマッチング手段が路線でない道路に誤ってマッチング処理するマッチングエラーを防止することができるようになる。
【００３３】
請求項５にかかる発明においては、請求項１ないし３の何れかにかかる発明において、前記路線ネットワークデータは、車両が運行される路線の路線ネットワークのデータである。従って、路線データ記憶手段の記憶容量を更に少なくすることができ、バスの路線が設定されていない道路のデータが含まれないため、鋭角な分岐路においてマッチング手段が路線でない道路に誤ってマッチング処理するマッチングエラーを防止することができるようになる。
【００３４】
請求項６ないし請求項１０にかかる発明においては、それぞれ請求項１ないし請求項５にかかる路線バス運行管理システムを構成する移動体端末装置を提供することができるようになり、移動体端末装置の現在位置を移動体端末装置の位置するエリアによって適切にマッチング処理できるようになる。
【発明を実施するための最良の形態】
【００３５】
以下、本発明の具体例を実施例及び図面を用いて詳細に説明する。図１は、本発明の実施例にかかる路線バス運行管理システムの構成を示すブロック図である。図２は、車両の現在位置を地図データの道路にマッチングするマッチング処理を説明するための模式図である。図３は、本発明におけるマッチング処理を説明するための模式図である。図４は、バスターミナルなどの特定エリアにおける本発明の実施例によるマッチング処理を説明するための模式図である。図５は、営業所、駐車場、操作場などの特定エリアにおけるマッチング処理を説明するための模式図である。図６は、本発明の実施例にかかる移動体端末装置のマッチング処理動作の手順を示すフローチャートである。
【実施例１】
【００３６】
本発明の実施例１にかかる路線バス運行管理システム１０は、図１に示すように、運行管理サーバ３０と無線ネットワーク１２を介して接続される機器であって各車両に搭載された移動体端末装置２０とを備えて構成されている。無線ネットワーク１２は、専用のネットワークでもよく、インターネット網を利用する構成であってもよい。
【００３７】
移動体端末装置２０は、制御ユニット２１、ＧＰＳ受信機などから構成される位置検出手段２２、距離センサ２３１とジャイロ２３２から自車位置を検出する自律航法手段２３、マッチング手段２４、通信手段２５、現在位置が後述する特定エリアにあるかを判別するエリア判別手段２６、路線バスの経路データを記憶する路線データ記憶手段２７、移動体端末装置２０を操作したり、路線の経路を表示したりするための操作・表示手段２８などを備えて構成されている。通信手段２５は、ネットワーク１２を介して運行管理サーバ３０と通信するためのインターフェースである。この通信手段２５は特に限定されないが、携帯電話やＰＨＳ（登録商標）のデータ回線のインターフェースを用いたものが使いやすい。
【００３８】
制御ユニット２１は、図示してはいないがＲＡＭ、ＲＯＭ、プロセッサを有するマイクロプロセッサであり、ＲＯＭに格納された制御プログラムにより各部の動作を制御する。位置検出手段２２は通常のナビゲーション装置と同様にＧＰＳ衛星からの信号を受信し、移動体端末装置２０の位置（緯度、経度）を算出して現在位置を検出する。一方、自律航法手段２３は、ＧＰＳによる位置検出手段２２の位置検出ができない場合に位置検出する手段であり、通常の車載用ナビゲーション装置と同様に、車速パルスを検出して走行距離を算出する距離センサ２３１、レートセンサ（角速度センサ）などのジャイロ２３２の各センサ出力から自車の現在位置を検出する。
【００３９】
マッチング手段２４は、前述した一般のナビゲーション装置において、位置検出手段２２や自律航法手段２３が検出した現在位置を道路や経路にマッチング処理を行うものである。そして、通信手段２５を介して路線バスの位置情報を、バス会社の運行管理サーバ３０に向けて送信可能である。本実施例においては路線データ記憶手段２７に記憶されたデータ、すなわち、路線バスが運行される路線の道路ネットワークのデータのみを図７で示す道路ネットワークのようにノード、リンク、リンクコストとしてデータ化した路線ネットワークデータである。路線データ記憶手段２７に記憶される路線ネットワークのデータは運行管理サーバ３０からダウンロードしたり、メモリースティックなどのような記憶媒体を使用してコピーしてもよい。路線データ記憶手段２７に記憶される路線ネットワークのデータは、営業所毎の営業路線のデータのみでもよく、車両がその日に運行する路線のデータのみであってもよい。
【００４０】
一般のカーナビでは、ＤＶＤ（登録商標）やＣＤ−ＲＯＭあるいはＨＤＤに地図の描画データも記憶するが、本発明にかかる路線バスなどの車両に搭載される移動体端末装置２０ではコンパクトフラッシュ（登録商標）程度の記憶容量でも十分である。路線バスでは車内に地図を表示する必要は無いので、地図の描画データは記憶しなくて良い。また、前述したようにその路線バスが走行する可能性のある、つまりそのバス会社の全路線を記憶しておけば十分であるし、また運行する路線データごとにコンパクトフラッシュを用意しておいて、差し替えて使用しても良い。
【００４１】
路線ネットワークデータは、先に述べたように一般の道路ネットワークのデータ全てを記憶する必要はない。むしろ、近接した複数の道路で、路線でない道路のデータは存在しない方が後述するように好都合な場合もある。すなわち、路線データ記憶手段２７に路線ネットワークのデータのみを記憶することにより、バスの路線が設定されていない道路のデータが含まれないため、後述するように鋭角な分岐路においてマッチング手段が路線でない道路に誤ってマッチング処理する恐れがなくなる。
【００４２】
一方、運行管理サーバ３０は、制御ユニット３１、運行管理手段３３、通信手段３５、路線ネットワークＤＢ（データベース）３７、道路ネットワークＤＢ（データベース）３６、操作・表示手段路案内手段３８などを備えて構成されている。制御ユニット３１は、図示してはいないがＲＡＭ、ＲＯＭなどのメモリ、プロセッサを有するマイクロプロセッサであり、メモリに格納された制御プログラムにより各部の動作を制御する。操作・表示手段３８は運行管理サーバ３０を操作し、運行管理サーバ３０の状態をモニターするための表示を行うものである。また、通信手段３５は、ネットワーク１２を介して移動帯端末装置２０などと通信するためのインターフェースである。
【００４３】
運行管理手段３３は、各車両の運行履歴を記憶し、また、各車両に搭載されている移動体端末装置２０からのマッチング処理された現在位置の情報に基づいて、各停留所に到着する予定時間を通知したりする。道路ネットワークＤＢ３６には通常のナビゲーションシステムにおける道路ネットワークのデータ（ノード、リンク、リンクコスト）が蓄積されている。本発明においてはこの道路ネットワークＤＢ３６のデータは必ずしも必須の要素ではない。路線ネットワークＤＢ３７は、先に述べたように路線が設定されている道路ネットワークのデータのみを記憶したデータベースであるが、本実施例においては後述する特定エリア内における車両の走行が予定される経路のノード、リンク、リンクコストなどのデータが付加されている。例えば、駅前のバスターミナルのエリアは、一般車両は進入禁止のエリアであるため、道路ネットワークＤＢ３６に蓄積されたデータには存在しないが、路線ネットワークＤＢ３７には、このようなバス路線に特有の特定エリア内の経路データが付加されている。
【００４４】
実施例１にかかる路線バス運行管理システム１０においては、先に述べたように、路線データ記憶手段２７に路線ネットワークのデータのみを記憶することにより、バスの路線が設定されていない道路のデータが含まれないため、鋭角な分岐路においてマッチング手段が路線でない道路に誤ってマッチング処理する恐れがなくなる。図２は、移動体端末装置２０において測位した現在位置を地図データの道路にマッチング処理する場合を模式的に示す図である。
【００４５】
図２において道路２１１がノード（分岐点）２１２でバス路線が設定されていない道路２１３とバス路線が設定されている道路２１４に鋭角に分岐している。図２は、このような鋭角なＹ字路をＧＰＳ航法、すなわちＧＰＳ衛星信号を受信して現在位置を測位しながら通過する場合に起こる問題を示している。バス路線は、Ｙ字路を右側に分岐する道路２１４に設定されており、バスはこの道路２１４を走行しているが、ＧＰＳで得られた位置情報◎が、若干左側にずれていたために、マッチングを行うと左側の道路（図２では△で示す位置に誤ってマッチング処理され、道路２１３を進行していると誤認識してしまう。この状態は運行管理サーバ３０に送られるが、運行管理サーバ３０はバスを遠隔管理しているため、バスがある程度走行してからでないとマッチングの誤りに気づかず正しい道にマッチングがとれない。
【００４６】
ここで、路線データ記憶手段２７に記憶する道路ネットワークのデータとして、バス路線が設定されていない道路２１３のネットワークデータを除いた路線バスの路線ネットワークのデータのみを記憶しておくと、図３に示すようにマッチング処理すべき道路のデータがバス路線が設定された道路２１４のデータのみであるから、バスにおける測位位置が◎のように道路２１３の方向に誤差を持っていても道路２１４に正しくマッチング処理される。もし、道路２１３に別のバス路線が設定されている場合には、該当するバス路線を運行するバスごとに異なるコンパクトフラッシュを差し替える、あるいは、運行管理サーバ３０から運行する路線毎の路線ネットワークのデータをダウンロードするなど運用面でカバーすることができる。
【実施例２】
【００４７】
先に述べたように、路線ネットワークＤＢ３７は、路線が設定されている道路ネットワークのデータのみを記憶したデータベースであるが、本実施例においては特定エリア内における車両の走行が予定される経路のノード、リンク、リンクコストなどのデータが付加されている。すなわち、駅前のバスターミナルのエリアは、一般車両は進入禁止のエリアであるため、一般の道路ネットワークＤＢ３６に蓄積されたデータにはエリア内のノードやリンクは存在しないが、路線ネットワークＤＢ３７には、このようなバス路線に特有の特定エリア内の経路データが付加されている。
【００４８】
図４は、鉄道の駅前などのバスターミナルを特定エリアとするエリア内のリンクを模式的に示している。破線３１１で囲まれたエリアが一般車両進入禁止のバスターミナルのエリアである。このうち、破線３１１内のリンク３１２、および破線３１１に接しているリンク３１３〜３１５は、一般のカーナビの地図にはないリンクである。なぜなら、この部分は路線バス専用の通路であり、また通路ではない一時待避所内の区画もリンクで表されている。また、破線３１１で示されるバスターミナルのエリアの位置情報も路線データと一緒に路線ネットワークＤＢ３７に記憶されている。
【００４９】
鉄道の駅周辺には前述したようにビル群が存在する場合が多く、ＧＰＳによる測位はマルチパスの影響で誤差が大きくなる傾向がある。従って、ターミナルのエリアにバスが入ると、マッチング誤差が生じ易くなる。そこで、バスの自車位置が、図４の破線３１１のバスターミナル内に入ったと判断されると、マッチング手段２４の処理は、ターミナルエリアとしてのマッチング処理に切り替わる。すなわち、境界に入った瞬間はまだＧＰＳが使えるが、ターミナルエリアでは、マルチパスの影響が大きいか、またはＧＰＳの受信ができないエリアであるので、自律航法手段２３による現在位置測位に切り替える。
【００５０】
自律航法手段２３による測位であっても、ターミナルエリア３１１ではバスの挙動が決められているので、路線ネットワークＤＢ３７に付加された特定エリア内の路線ネットワークのリンクにマッチングすることで、正確な位置がわかる。マッチング処理したバスの現在位置データは、逐次、運行管理サーバ３０に向けて送信される。ターミナルエリア３１１内のリンクは、ターミナルエリア外にまで伸びているので、マッチング処理の結果バスの現在位置がターミナルエリア外と判断されると、この自律航法による現在位置の測位とマッチング処理のモードは終了する。
【実施例３】
【００５１】
路線バスの車両が位置する可能性のある特定エリア（一般の道路ネットワークのデータに存在しない経路が設定されている）としては、上記のターミナルの他に、営業所や駐車場、操車場がある。このようなエリアはバスの営業路線に面していることが多く、車両が営業所や駐車場、操車場の敷地内であるエリアにいるのに、車両に搭載された移動体端末装置２０が測位した車両の現在位置に誤差があり、営業所や駐車場、操車場の敷地に接している道路ネットワークの道路や路線ネットワークの路線にマッチングしてしまうこともある。このようなマッチング処理の誤りがあると車両が待機中か運行中か判別できず運行管理サーバ３０における運行管理が困難になる。
【００５２】
図５は、このような営業所や駐車場、操車場の敷地を特定エリア４１１とする場合のマッチング処理を説明するための模式図である。このような特定エリア４１１は、広い駐車場が必要なことから、比較的郊外に位置し、ＧＰＳ信号は受信しやすい。また、運行路線から遠く離れることは効率が悪いので、運行路線４１２、道路４１４などに面して位置することが多い。更に、営業所などの特定エリアの中４１３は、バス会社の私有地であるので、区画の利用は自由であり、特に決まったリンクを敷設することができない。従って、営業所内で道路沿いに駐車すると、ＧＰＳによる測位誤差によって、その特定エリアに隣接した運行道路４１２や道路４１４にマッチングしてしまう。
【００５３】
このため、本実施例においては、バスの営業所エリア４１１への侵入を検出すると、ＧＰＳあるいは自律航法を活かして位置を求めるが、マッチング手段２４はマッチング処理を行わない。（ネットワークのデータすなわちノードやリンクも設定しない）。その代わり、現在位置の予測と、予測位置範囲から信頼度の高い測位結果だけを採用する処理を行って、正確な位置を求めることができる。このような手法は、本出願人により出願された特開２００４−２７１２９３号公報に開示された手法を適用して行うことができる。このようにすると、例えばＧＰＳ測位に誤差があっても、突然営業所の外のリンク（道路）にマッチングしてしまうようなマッチング処理エラーを防止することができる。
【００５４】
なお、このような特定エリア４１１内は、技術的にはＧＰＳ、自律航法いずれによる測位でも良いのであるが、車両が営業所などの特定エリアに戻ったということは車両に搭載された移動体端末装置２０の電源が切断（オフ）されることが前提なので、相対位置を用いる自律航法は、次回の電源ＯＮまでの扱いに注意する必要がある。たとえば、点検整備のために移動体端末装置２０の電源を切ったまま移動すると、自律航法は位置を間違えることになる。従って、ＧＰＳ測位を使用するほうがこのようなエリアにおけるマッチング処理には使用し易いということができる。
【００５５】
次に、図６のフローチャートを参照して本発明の実施例にかかる移動体端末装置２０におけるマッチング処理の手順を説明する。先ず、移動体端末装置２０は、ステップＳ１０の処理において、位置検出手段２２または自律航法手段２３により自車の現在位置を測位する。次に、ステップＳ１１の処理において、エリア判別手段２６は、現在位置が特定エリアにあるか否かエリア判別を行う。この結果、車両の現在位置が特定エリアでない通常の路線上のエリア、すなわち、エリアＡにある場合は、ステップＳ２２の処理においてＧＰＳによる位置検出手段２２による現在位置測位を行い、ステップＳ２３の処理においてマッチング手段２４は、通常のマッチング処理を行う。
【００５６】
この場合、実施例１で説明したように、路線データ記憶手段２７に路線ネットワークのデータのみが記憶されており、バスの路線が設定されていない道路のデータが含まれないため、鋭角な分岐路においてマッチング手段が路線でない道路に誤ってマッチング処理する恐れがなくなる。
【００５７】
ステップＳ１１のエリア判別の結果、車両の現在位置が駅前のバスターミナルである特定エリア、すなわち、エリアＢにある場合は、ステップＳ３２の処理において、自律航法手段２３による現在位置測位を行い、ステップＳ３３の処理においてマッチング手段２４は、特定エリア内のネットワークデータを用いてマッチング処理を行う。
【００５８】
この場合、実施例２で説明したように、路線データ記憶手段２７に路線ネットワークのデータに特定エリア内の路線バスのみネットワークデータが付加されているため、マッチング処理を行うことができる。また、自律航法手段２３による測位を行うため、ＧＰＳ測位におけるマルチパスの影響を受けない測位を用い、正確な測位を行うことができる。
【００５９】
ステップＳ１１のエリア判別の結果、車両の現在位置が営業所などの特定エリア、すなわち、エリアＣにある場合は、ステップＳ１２の処理において、ＧＰＳによる位置検出手段２２または自律航法手段２３による現在位置測位を行う。この場合、好ましくは、ＧＰＳによる位置検出手段２６による測位を行う。そして、ステップＳ１３の処理において、マッチング手段２４はマッチング処理を行わず、実施例３で説明した信頼度フィルタを使用した現在位置処理を行う。
【００６０】
次に、移動体端末装置２０は、ステップＳ１１、ステップＳ１２の処理、あるいは、ステップＳ２２、ステップＳ２３の処理、ステップＳ３２、ステップＳ３３の処理によって測位誤差を修正して得た現在位置のデータをステップＳ１４の処理において、通信手段２５を介して運行管理サーバ３０に送信する。次いで、ステップＳ１５の処理において、移動体端末装置３０の電源がオフされたか否かを検出し、電源がオフされていなければステップＳ１０の処理に戻り、以上説明した処理を繰り返す。電源がオフであれば、移動体端末装置２０は処理を終了する。
【産業上の利用可能性】
【００６１】
以上説明したように、本発明にかかる路線バス運行管理システム、運行管理サーバおよび移動端末装置によれば、車両に搭載した移動体端末装置における現在位置の誤差を正確に路線ネットワークのデータにマッチング処理することができるので、運行管理サーバにおける車両の位置把握を正しく行うことができる路線バス運行管理システムを提供することができるようになる。
【図面の簡単な説明】
【００６２】
【図１】本発明の実施例にかかる路線バス運行管理システムの構成を示すブロック図である。
【図２】車両の現在位置を地図データの道路にマッチングするマッチング処理を説明するための模式図である。
【図３】本発明におけるマッチング処理を説明するための模式図である。
【図４】バスターミナルなどの特定エリアにおける本発明の実施例によるマッチング処理を説明するための模式図である。
【図５】営業所、駐車場、操作場などの特定エリアとする場合のマッチング処理を説明するための模式図である。
【図６】本発明の実施例にかかる移動体端末装置のマッチング処理動作の手順を示すフローチャートである。
【図７】一般的な経路探索のための道路ネットワークを説明するための模式図である。
【符号の説明】
【００６３】
１０・・・路線バス運行管理システム
１２・・・無線ネットワーク
２０・・・移動体端末装置
２１・・・制御ユニット
２２・・・位置検出手段
２３・・・自律航法手段
２３１・・距離センサ
２３２・・ジャイロ
２４・・・マッチング手段
２５・・・通信手段
２６・・・エリア判別手段
２７・・・路線データ記憶手段
２８・・・操作・表示手段
３０・・・運行管理サーバ
３１・・・制御ユニット
３３・・・運行管理手段
３５・・・通信手段
３６・・・道路ネットワークＤＢ（データベース）
３７・・・路線ネットワークＤＢ（データベース）
３８・・・操作・表示手段
【図１】
2006202098.tif 000003
【図２】
2006202098.tif 000004
【図３】
2006202098.tif 000005
【図４】
2006202098.tif 000006
【図５】
2006202098.tif 000007
【図６】
2006202098.tif 000008
【図７】
2006202098.tif 000009